(57)【特許請求の範囲】
【請求項１】
宅配者が宅配ロッカー（１）のボックス部（１１ａ、１１ｂ）に荷物を入れる際に操作部（１２）にて宛先の居室番号を入力することにより、集合住宅用インターホン制御装置（３）を介して前記居室番号に該当する住戸内の居室親機（２ａ、２ｂ、・・・）に備えられた着荷表示部（３４）の着荷表示ＬＥＤ（３４ａ）を点灯させて住人に着荷があることを報知する集合住宅用インターホンシステムであって、
前記集合住宅用インターホン制御装置には、前記宅配ロッカーの前記操作部の操作により緊急を要する宅配であることを伝える緊急宅配信号（Ｓ1）を受信したときからの時間を計測するためのタイマ（４１）と、前記タイマがカウントアップしたときに前記居室親機の代理受取住戸設定部（３３）にて予め設定された他の住戸内の居室親機へ代理着荷信号（Ｓ6）を送信するためのＣＰＵ（４０）とを備えたことを特徴とする集合住宅用インターホンシステム。
【請求項２】
前記他の住戸内の居室親機が前記代理着荷信号を受信したときに前記着荷表示ＬＥＤを点滅させるためのＣＰＵ（３０）を備えたことを特徴とする請求項１記載の集合住宅用インターホンシステム。
【請求項３】
前記着荷表示部には、前記代理着荷信号を受信したときに点灯する代理着荷表示ＬＥＤ（３４ｂ）を備えたことを特徴とする請求項１記載の集合住宅用インターホンシステム。
【請求項４】
前記着荷表示部には、前記代理着荷信号が送信された後に荷物が代理受け取りにより取り出されたときに点灯する着荷履歴表示ＬＥＤ（３４ｃ）を備え、
前記居室親機には、代理受け取りされた荷物の本人受取後に前記着荷履歴表示ＬＥＤを消灯させるための履歴消ボタン（３５）を備えたことを特徴とする請求項１記載の集合住宅用インターホンシステム。
【発明の詳細な説明】
【０００１】
【発明の属する技術分野】
本発明は集合住宅用インターホンシステムに係り、特に、宅配者により着荷された荷物の宛先の住人が、一定時間以上、住戸内を不在としている場合における当該荷物の取り扱いを向上させた集合住宅用インターホンシステムに関する。
【０００２】
【従来の技術】
従来から、この種の集合住宅用インターホンシステムとして、図２のブロック図に示す構成の集合住宅用インターホンシステムが提案されている。
【０００３】
同図に示す宅配ロッカー５１は、集合住宅の共用部、例えば、集合玄関の周囲近傍に設置され、ＣＰＵ（以下、ロッカーＣＰＵと称す）６０には、複数のボックス部、ここでは２台のボックス部６１ａ、６１ｂに備えられた検出部７０（７０、７０）、電気錠７１（７１、７１）と、操作部６２と、押印部６４を介して宅配票挿入口６３と、解錠部６５と、伝送線路Ｌ51を介して集合住宅用インターホン制御装置５３のデータ送受信部（以下、ロッカー側Ｉ／Ｆと称す）９１に接続されたデータ送受信部（以下、ロッカーＩ／Ｆと称す）６６とがそれぞれ接続されている。
【０００４】
同図に示す居室親機５２ａ、５２ｂ、・・・は、それぞれ同様な構成であり、集合住宅をなす複数の住戸内、ここでは、１０１号室、１０２号室、・・・のように所定の居室番号（居室番号データ）「１０１」、「１０２」、・・・が予め設定されている住戸内にそれぞれ設置され、ＣＰＵ（以下、親機ＣＰＵと称す）８０には、スピーカ８１に接続された着荷音発生部８２と、着荷表示ＬＥＤ８３ａが備えられた着荷表示部８３と、伝送線路Ｌ52を介して集合住宅用インターホン制御装置５３のデータ送受信部（以下、親機側Ｉ／Ｆと称す）９２に接続されたデータ送受信部（以下、親機Ｉ／Ｆと称す）８４とがそれぞれ接続されている。
【０００５】
同図に示す集合住宅用インターホン制御装置５３は、伝送線路Ｌ51を介して接続された宅配ロッカー５１と伝送線路Ｌ52を介してバス接続された居室親機５２ａ、５２ｂ、・・・との間に介在され、ＣＰＵ（以下、制御装置ＣＰＵと称す）９０には、伝送線路Ｌ51を介して宅配ロッカー５１のロッカーＩ／Ｆ６６に接続されたロッカー側Ｉ／Ｆ９１と、伝送線路Ｌ52を介して居室親機５２ａ、５２ｂ、・・・の親機Ｉ／Ｆ８４（８４、８４、・・・）に接続された親機側Ｉ／Ｆ９２とがそれぞれ接続されている。
【０００６】
このように構成された従来例の集合住宅用インターホンシステムにおいて、（運送会社等の）宅配者が、集合住宅内に居住する特定の住人宛ての荷物、ここでは、居室親機５２ａが設置された１０１号室の住人宛ての荷物を、宅配ロッカー５１のボックス部６１ａ、６１ｂのうち、未使用状態において扉（図示せず）が開口されている当該ボックス部、ここでは、ボックス部６１ａに入れ扉を閉口して電気錠７１を施錠させた後、操作部６２を操作してボックス部６１ａに保管させた荷物の宛先をなす居室番号（以下、宛先居室番号と称す）「１０１」を入力すると、使用状態を検出したボックス部６１ａの検出部７０からの使用状態データ、操作部６２からの宛先居室番号データ「１０１」がそれぞれロッカーＣＰＵ６０に伝送される。また、宅配者がボックス部６１ａへの荷物の保管および操作部６２での宛先居室番号の入力操作と併せて宅配票を宅配票挿入口６３に挿入すると、押印部６４が動作を開始し、この押印部６４は、当該荷物が正常に受領されたことを示す受領印を宅配票に押印した後、この宅配票を宅配票挿入口６３から宅配者に対して自動排出するとともに、その旨の押印完了データをロッカーＣＰＵ６０に送出する。
【０００７】
宅配ロッカー５１において、ボックス部６１ａの検出部７０からの使用状態データ、操作部６２からの宛先居室番号データ「１０１」、押印部６４からの押印完了データをそれぞれ検出したロッカーＣＰＵ６０は、上述の使用状態データに宛先居室番号データを割り当てて記憶するとともに、宛先居室番号データ「１０１」および荷物の着荷がある旨の荷物着荷データを付加させた宅配信号Ｓ51を送出し、この宅配信号Ｓ51は、ロッカーＩ／Ｆ６６、伝送線路Ｌ51、集合住宅用インターホン制御装置５３のロッカー側Ｉ／Ｆ９１を介して制御装置ＣＰＵ９０に伝送される。
【０００８】
集合住宅用インターホン制御装置５３の制御装置ＣＰＵ９０は、宅配ロッカー１からの宅配信号Ｓ51に付加されている宛先居室番号データ「１０１」および荷物着荷データに基づき、１０１号室の住人宛の荷物の着荷があることを検出するとともに、この宅配信号Ｓ51を、親機側Ｉ／Ｆ９２、伝送線路Ｌ52、居室親機５２ａ、５２ｂ、・・・の親機Ｉ／Ｆ８４（８４、８４、・・・）を介して親機ＣＰＵ８０（８０、８０、・・・）にそれぞれ送出する。
【０００９】
居室親機５２ａ、５２ｂ、・・・において、宅配ロッカー５１からの宅配信号Ｓ51を検出した親機ＣＰＵ８０（８０、８０、・・・）は、当該宅配信号に付加されている宛先居室番号データ「１０１」と自端末に予め割り当てられている居室番号データとを照合し、当該居室番号データが一致した場合にのみ、着荷音発生部８２を制御して当該着荷音発生部からの着荷音信号Ｓ52に基づき、スピーカ８１にて着荷音を一定時間内鳴動させるとともに、着荷表示部８３の着荷表示ＬＥＤ８３ａを点灯させて自己宛ての荷物の着荷がある旨の報知（以下、自己宛着荷報知と称す）を行なう。ここでは、居室親機５２ａの親機ＣＰＵ８０のみ当該居室番号データが「１０１」で一致し、この親機ＣＰＵ８０の制御により上述の自己宛着荷報知が行なわれる。
【００１０】
次に、上述の自己宛着荷報知が行なわれた際、在室中であり自己宛ての荷物の着荷があることを確認した１０１号室の住人が、宅配ロッカー５１まで赴き解錠部６５を操作して１０１号室に予め割り当てられている解錠暗証番号を入力すると、解錠部６５からの解錠暗証番号データがロッカーＣＰＵ６０に伝送される。ロッカーＣＰＵ６０は、解錠部６５からの解錠暗証番号データに基づき、解錠操作を行なった住人が居住する１０１号室の居室番号データ「１０１」を検出し、宅配者により操作された操作部６２からの宛先居室番号データ「１０１」と照合させ、一致が検出された居室番号データ「１０１」に割り当てられているボックス部６１ａ、６１ｂの電気錠７１（７１、７１）、ここでは、ボックス部６１ａの電気錠７１を解錠させることにより、１０１号室から赴いた住人は、自己宛ての荷物を取り出すことができる。また、ロッカーＣＰＵ６０は、電気錠７１が解錠されたボックス部６１ａの検出部７０からの未使用状態データに基づき、ボックス部６１ａの扉が開口され使用状態から未使用状態に移行されたことを検出し、上述の宛先居室番号データ「１０１」および荷物が正常に取り出された旨の受取完了データを付加させた宅配受取完了信号Ｓ53を、上述の宅配信号Ｓ51と同様な経路を介して居室親機５２ａ、５２ｂ、・・・の親機ＣＰＵ８０（８０、８０、・・・）にそれぞれ送出する。
【００１１】
居室親機５２ａ、５２ｂ、・・・において、宅配ロッカー５１からの宅配受取完了信号Ｓ53を検出した親機ＣＰＵ８０（８０、８０、・・・）は、当該宅配受取完了信号に付加されている宛先居室番号データ「１０１」と自端末に予め割り当てられている居室番号データとを照合し、当該居室番号データが一致した場合にのみ、着荷表示部８３の着荷表示ＬＥＤ８３ａを消灯させる。ここでは、居室親機５２ａの親機ＣＰＵ８０のみ当該居室番号データが「１０１」で一致し、この親機ＣＰＵ８０の制御により着荷表示部８３の着荷表示ＬＥＤ８３ａが消灯される。
【００１２】
【発明が解決しようとする課題】
しかしながら、従来例の集合住宅用インターホンシステムにおいて、宅配者により宅配ロッカー５１のボックス部６１ａに保管された荷物が、要冷蔵の食物、例えば、生鮮食料品等のように宛先の住人に対して当該荷物を速やかに取り出して欲しい緊急を要する荷物であった場合、１０１号室の住人が当該住戸内を不在、特に、長時間にわたり不在としていると、住人が帰宅するまでボックス部６１ａに荷物が保管されたままとなり、衛生管理上、問題となるばかりでなく、ボックス部６１ａを長時間占有することとなり、当該ボックス部を有効的に利用できない難点があった。
【００１３】
本発明は、上述の難点を解消するためになされたもので、宅配者により着荷された緊急を要する荷物を、当該荷物の宛先の住人が予め設定していた他の住人により代理受け取りさせることができる集合住宅用インターホンシステムを提供することを目的としている。
【００１４】
【課題を解決するための手段】
上述の目的を達成するため、本発明による集合住宅用インターホンシステムは、宅配者が宅配ロッカーのボックス部に荷物を入れる際に操作部にて宛先の居室番号を入力することにより、集合住宅用インターホン制御装置を介して居室番号に該当する住戸内の居室親機に備えられた着荷表示部の着荷表示ＬＥＤを点灯させて住人に着荷があることを報知する集合住宅用インターホンシステムであって、集合住宅用インターホン制御装置には、宅配ロッカーの操作部の操作により緊急を要する宅配であることを伝える緊急宅配信号を受信したときからの時間を計測するためのタイマと、タイマがカウントアップしたときに居室親機の代理受取住戸設定部にて予め設定された他の住戸内の居室親機へ代理着荷信号を送信するためのＣＰＵとを備えたことを特徴としている。
【００１５】
また、本発明による集合住宅用インターホンシステムをなす居室親機は、他の住戸内の居室親機が代理着荷信号を受信したときに着荷表示ＬＥＤを点滅させるためのＣＰＵを備えたことを特徴としている。
【００１６】
また、本発明による集合住宅用インターホンシステムをなす居室親機の着荷表示部には、代理着荷信号を受信したときに点灯する代理着荷表示ＬＥＤを備えたことを特徴としている。
【００１７】
また、本発明による集合住宅用インターホンシステムをなす居室親機の着荷表示部には、代理着荷信号が送信された後に荷物が代理受け取りにより取り出されたときに点灯する着荷履歴表示ＬＥＤを備え、居室親機には、代理受け取りされた荷物の本人受取後に着荷履歴表示ＬＥＤを消灯させるための履歴消ボタンを備えたことを特徴としている。
【００１８】
このような集合住宅用インターホンシステムによれば、宅配者により宅配ロッカーのボックス部に保管された緊急を要する荷物の宛先の住人が、長時間にわたり住戸内を不在としており速やかに当該荷物を取り出せない場合、宛先の住人により予め操作されていた居室親機の代理受取住戸設定部の設定に基づき、宛先以外の他の住戸内に設置された居室親機にて代理受け取りを促す旨の報知を、着荷表示部の着荷表示ＬＥＤを点滅、代理着荷表示ＬＥＤを点灯させて行なうことにより、これを確認した他の住戸内に居住する住人は、宅配ロッカーまで赴きボックス部から緊急を要する荷物を取り出して代理受け取りすることができる。
【００１９】
【発明の実施の形態】
以下、本発明による集合住宅用インターホンシステムを適用した好ましい形態の実施例について、図面を参照して説明する。
【００２０】
図１は、本発明の一実施例による集合住宅用インターホンシステムの構成を示すブロック図であり、集合住宅の共用部に設置され、運送会社等の宅配者（以下、単に宅配者と称す）により集合住宅内に居住する特定の住人宛ての荷物（宅配物）が着荷される宅配ロッカー１と、集合住宅をなす複数の住戸内、ここでは、１０１号室、１０２号室、・・・のように所定の居室番号「１０１」、「１０２」、・・・が予め設定されている住戸内にそれぞれ設置され、自己宛ての荷物がある旨の報知や緊急を要する荷物があり他の住戸に居住する住人に対して代理受け取りを促す旨の報知が行なわれる（複数の）居室親機２ａ、２ｂ、・・・と、伝送線路Ｌ1を介して接続された宅配ロッカー１と伝送線路Ｌ2を介してバス接続された居室親機２ａ、２ｂ、・・・との間に介在され、当該集合住宅用インターホンシステムをシステム制御するための集合住宅用インターホン制御装置３とで構成されている。
【００２１】
同図に示す宅配ロッカー１には、当該宅配ロッカーの構成各部を制御するためのＣＰＵ（以下、ロッカーＣＰＵと称す）１０と、ロッカーＣＰＵ１０により制御され、宅配者が特定の住人宛ての荷物を入れ保管させるための複数のボックス部、ここでは、２台のボックス部１１ａ、１１ｂと、宅配者により操作され、ボックス部１１ａ、１１ｂに保管させた荷物が緊急を要さない荷物の場合には宛先の住戸に予め割り当てられている居室番号を、一方、当該ボックス部に保管させた荷物が緊急を要する荷物、例えば、生鮮食料品等の場合には宛先の住戸に予め割り当てられている居室番号とは異なる所定の番号をそれぞれ入力するための操作部１２と、宅配者がボックス部１１ａ、１１ｂに保管させた荷物の宅配票を挿入するための宅配票挿入口１３と、宅配票挿入口１３に挿入された宅配票に対して荷物が正常に受領された旨の捺印を行なうための押印部１４と、ボックス部１１ａ、１１ｂに保管されている荷物の宛先をなす住戸に居住する住人（荷物宛先住人）、または前述の住人（荷物宛先住人）により予め設定されていた代理受取先をなす他の住戸に居住する住人（代理受取先住人）により操作され、当該ボックス部の後述する電気錠２１を解錠させるための所定の番号を入力する解錠部１５と、ロッカーＣＰＵ１０と伝送線路Ｌ1を介して集合住宅用インターホン制御装置３の後述するデータ送受信部４２との間で各種信号を送受信させるためのデータ送受信部（以下、ロッカーＩ／Ｆと称す）１６とが備えられている。また、ボックス部１１ａ、１１ｂは、それぞれ同様な構成であり、荷物の保管の有無に起因した使用状態／未使用状態を検出するための検出部２０と、当該ボックス部の開口部に設けられる扉（図示せず）を施解錠するための電気錠２１とが備えられている。なお、ロッカーＣＰＵ１０とボックス部１１ａ、１１ｂの検出部２０（２０、２０）、電気錠２１（２１、２１）との接続は、図示のように個別のラインによる接続の他、バスラインを介した接続も可能である（詳述せず）。
【００２２】
同図に示す居室親機２ａ、２ｂ、・・・は、それぞれ同様な構成であり、当該居室親機の構成各部を制御するためのＣＰＵ（以下、親機ＣＰＵと称す）３０と、宅配ロッカー１のボックス部１１ａ、１１ｂに自己宛ての荷物がある旨の報知、または他の住戸に居住する住人（代理受取先住人）に代理受け取りを促す旨の報知を行なうための着荷音を鳴動するスピーカ３１と、親機ＣＰＵ３０により制御され、スピーカ３１にて着荷音を鳴動させるための着荷音信号を送出する着荷音発生部３２と、住人が長時間にわたり住戸内を不在とする等、宅配ロッカー１のボックス部１１ａ、１１ｂに自己宛ての荷物が保管されていることを確認できない場合において、代理受け取りを促す旨の情報を他の住戸内に設置された当該居室親機にて報知させるための代理受取先の居室番号を入力する代理受取住戸設定部３３と、親機ＣＰＵ３０により制御され、宅配ロッカー１のボックス部１１ａ、１１ｂに保管された荷物の宛先をなす住戸内に設置された当該居室親機では点灯表示し、代理受取住戸設定部３３により設定されている代理受取先をなす他の住戸内に設置された当該居室親機では点滅表示する着荷表示ＬＥＤ３４ａ、代理受取先をなす他の住戸内に設置された当該居室親機のみ動作し点灯表示される代理着荷表示ＬＥＤ３４ｂ、当該ボックス部に保管されている荷物が、代理受取先をなす他の住戸に居住する住人（代理受取先住人）により取り出された旨を点灯表示する着荷履歴表示ＬＥＤ３４ｃが備えられた着荷表示部３４と、代理受取先をなす他の住戸に居住する住人（代理受取先住人）により代理受け取りされた荷物を受け取った宛先をなす住戸に居住する住人（荷物宛先住人）が、着荷表示部３４の着荷履歴表示ＬＥＤ３４ｃを消灯させるための履歴消ボタン３５と、親機ＣＰＵ３０と集合住宅用インターホン制御装置３の後述するデータ送受信部４３との間で各種信号を送受信させるためのデータ送受信部（以下、親機Ｉ／Ｆと称す）３６とが備えられている。
【００２３】
同図に示す集合住宅用インターホン制御装置３には、当該集合住宅用インターホン制御装置の構成各部を制御するためのＣＰＵ（以下、制御装置ＣＰＵと称す）４０と、制御装置ＣＰＵ４０により制御され、宅配ロッカー１の操作部１２の操作により、ボックス部１１ａ、１１ｂに保管されている荷物が緊急を要する荷物であることを伝える緊急宅配信号を受信したときからの所定の時間、ここでは、１２時間を計時するためのタイマ４１と、宅配ロッカー１のロッカーＩ／Ｆ１６と制御装置ＣＰＵ４０との間で各種信号を送受信させるためのデータ送受信部（以下、ロッカー側Ｉ／Ｆと称す）４２と、制御装置ＣＰＵ４０と居室親機２ａ、２ｂ、・・・の親機Ｉ／Ｆ３６（３６、３６、・・・）との間で各種信号を送受信させるためのデータ送受信部（以下、親機側Ｉ／Ｆと称す）４３とが備えられている。
【００２４】
このように構成された本発明の一実施例による集合住宅用インターホンシステムにおいて、以下、具体的な動作を説明する。
【００２５】
なお、（運送会社等の）宅配者により宅配ロッカー１のボックス部１１ａ、１１ｂに保管された集合住宅内に居住する特定の住人宛ての荷物が、緊急を要さない荷物である場合において、宅配ロッカー１の操作部１２にて入力された居室番号に該当する住戸内に設置された当該居室親機のスピーカ３１からの着荷音の鳴動および着荷表示部３４の着荷表示ＬＥＤ３４ａの点灯による報知に基づき、自己宛ての荷物の着荷があることを確認した住人が、宅配ロッカー１の解錠部１５を操作して解錠操作を行ない、ボックス部１１ａ、１１ｂから荷物を取り出す動作は、従来例の該当動作と同様であるので説明は省略し、以下、本発明の一実施例による動作として、宅配者により宅配ロッカー１のボックス部１１ａ、１１ｂに保管される集合住宅内に居住する特定の住人宛ての荷物が、緊急を要する荷物、例えば、生鮮食料品等である場合について説明する。
【００２６】
図１のブロック図において、宅配者が、集合住宅内に居住する特定の住人宛ての緊急を要する荷物、ここでは、居室親機２ａが設置された１０１号室の住人宛ての緊急を要する荷物を、宅配ロッカー１のボックス部１１ａ、１１ｂのうち、未使用状態において扉（図示せず）が開口されている当該ボックス部、ここでは、ボックス部１１ａに入れ扉を閉口して電気錠２１を施錠させた後、操作部１２を操作してボックス部１１ａに保管させた荷物の宛先をなす１０１号室の居室番号「１０１」とは異なる所定の番号、ここでは、宛先居室番号「１０１」の先頭部に「１」を加えた緊急宅配用番号「１１０１」を入力すると、使用状態を検出したボックス部１１ａの検出部２０からの使用状態データ、操作部１２からの緊急宅配用番号データ「１１０１」がそれぞれロッカーＣＰＵ１０に伝送される。また、宅配者がボックス部１１ａへの緊急を要する荷物の保管および操作部１２での緊急宅配用番号の入力操作と併せて宅配票を宅配票挿入口１３に挿入すると、押印部１４が動作を開始し、この押印部１４は、当該荷物が正常に受領されたことを示す受領印を宅配票に押印した後、この宅配票を宅配票挿入口１３から宅配者に対して自動排出するとともに、その旨の押印完了データをロッカーＣＰＵ１０に送出する。
【００２７】
宅配ロッカー１において、ボックス部１１ａの検出部２０からの使用状態データ、操作部１２からの緊急宅配用番号データ「１１０１」、押印部１４からの押印完了データをそれぞれ検出したロッカーＣＰＵ１０は、上述の使用状態データに緊急宅配用番号データ「１１０１」より先頭の「１」を削除した「１０１」、すなわち、宛先居室番号データを割り当てて記憶するとともに、緊急宅配用番号データ「１１０１」および緊急を要する荷物の着荷がある旨の緊急荷物着荷データを付加させた緊急宅配信号Ｓ1を送出し、この緊急宅配信号Ｓ1は、ロッカーＩ／Ｆ１６、伝送線路Ｌ1、集合住宅用インターホン制御装置３のロッカー側Ｉ／Ｆ４２を介して制御装置ＣＰＵ４０に伝送される。
【００２８】
集合住宅用インターホン制御装置３の制御装置ＣＰＵ４０は、宅配ロッカー１からの緊急宅配信号Ｓ1に付加されている緊急宅配用番号データ「１１０１」および緊急荷物着荷データに基づき、１０１号室の住人宛に緊急を要する荷物の着荷があることを検出し、タイマ４１の計時機能を能動として所定の時間をなす１２時間の計時を開始させるとともに、緊急宅配用番号データ「１１０１」より先頭の「１」を削除した「１０１」、すなわち、宛先居室番号データおよび緊急荷物着荷データを付加させた宛先付緊急宅配信号Ｓ1'を送出し、この宛先付緊急宅配信号Ｓ1'は、親機側Ｉ／Ｆ４３、伝送線路Ｌ2、居室親機２ａ、２ｂ、・・・の親機Ｉ／Ｆ３６（３６、３６、・・・）を介して親機ＣＰＵ３０（３０、３０、・・・）にそれぞれ伝送される。
【００２９】
居室親機２ａ、２ｂ、・・・において、宅配ロッカー１から送出され集合住宅用インターホン制御装置３を介して信号処理された宛先付緊急宅配信号Ｓ1'を検出した親機ＣＰＵ３０（３０、３０、・・・）は、当該宛先付緊急宅配信号に付加されている宛先居室番号データ「１０１」と自端末に予め割り当てられている居室番号データとを照合し、当該居室番号データが一致した場合にのみ、着荷音発生部３２を制御して当該着荷音発生部からの着荷音信号Ｓ2に基づき、スピーカ３１にて着荷音を一定時間内鳴動させるとともに、着荷表示部３４の着荷表示ＬＥＤ３４ａを点灯させて自己宛の荷物の着荷がある旨の報知（以下、自己宛着荷報知と称す）を行なう。ここでは、居室親機２ａの親機ＣＰＵ３０のみ当該居室番号データが「１０１」で一致し、この親機ＣＰＵ３０の制御により上述の自己宛着荷報知が行なわれる。
【００３０】
次に、上述の自己宛着荷報知が行なわれた際、在室中であった、または自己宛着荷報知が行なわれた際に住戸内を不在としていたものの集合住宅用インターホン制御装置３のタイマ４１がカウント中の所定の時間をなす１２時間以内に帰宅して居室親機２ａの着荷表示部３４をなす着荷表示ＬＥＤ３４ａの点灯に基づき、自己宛ての荷物の着荷があることを確認した１０１号室の住人が、宅配ロッカー１まで赴き解錠部１５を操作して１０１号室に予め割り当てられている解錠暗証番号を入力すると、解錠部１５からの解錠暗証番号データがロッカーＣＰＵ１０に伝送される。ロッカーＣＰＵ１０は、解錠部１５からの解錠暗証番号データに基づき、解錠操作を行なった住人が居住する１０１号室の居室番号データ「１０１」を検出し、宅配者により操作された操作部１２からの宛先居室番号データ「１０１」と照合させ、一致が検出された居室番号データ「１０１」に割り当てられているボックス部１１ａ、１１ｂの電気錠２１（２１、２１）、ここでは、ボックス部１１ａの電気錠２１を解錠させることにより、１０１号室から赴いた住人は、自己宛ての緊急を要する荷物を取り出すことができる。また、ロッカーＣＰＵ１０は、電気錠２１が解錠されたボックス部１１ａの検出部２０からの未使用状態データに基づき、ボックス部１１ａの扉が開口され使用状態から未使用状態に移行されたことを検出し、上述の宛先居室番号データ「１０１」および宛先の住人により緊急を要する荷物が正常に取り出された旨の受取完了データを付加させた宅配受取完了信号Ｓ3を、上述の緊急宅配信号Ｓ1と同様な経路を介して集合住宅用インターホン制御装置３の制御装置ＣＰＵ４０に送出する。
【００３１】
集合住宅用インターホン制御装置３の制御装置ＣＰＵ４０は、宅配ロッカー１からの宅配受取完了信号Ｓ3を検出し、タイマ４１の計時機能を非能動として所定の時間をなす１２時間の計時を終了させるとともに、この宅配受取完了信号Ｓ3を、上述の宛先付緊急宅配信号Ｓ1'と同様な経路を介して居室親機２ａ、２ｂ、・・・の親機ＣＰＵ３０（３０、３０、・・・）にそれぞれ送出する。
【００３２】
居室親機２ａ、２ｂ、・・・において、宅配ロッカー１からの宅配受取完了信号Ｓ3を検出した親機ＣＰＵ３０（３０、３０、・・・）は、当該宅配受取完了信号に付加されている宛先居室番号データ「１０１」と自端末に予め割り当てられている居室番号データとを照合し、当該居室番号データが一致した場合にのみ、着荷表示部３４の着荷表示ＬＥＤ３４ａを消灯させる。ここでは、居室親機２ａの親機ＣＰＵ３０のみ当該居室番号データが「１０１」で一致し、この親機ＣＰＵ３０の制御により着荷表示部３４の着荷表示ＬＥＤ３４ａが消灯される。
【００３３】
次に、上述の自己宛着荷報知が行なわれた際、長時間にわたり住戸内を不在としており、自己宛ての荷物の着荷があることを１０１号室の住人が確認できず、集合住宅用インターホン制御装置３のタイマ４１が所定の時間をなす１２時間をカウントアップすると、制御装置ＣＰＵ４０は、１０１号室の住人が自己宛ての緊急を要する荷物を速やかに取りさせない状態であると検出し、その旨のデータと上述の宛先居室番号データ「１０１」とを付加させた代理受取居室番号要求信号Ｓ4を、上述の宛先付緊急宅配信号Ｓ1'と同様な経路を介して居室親機２ａ、２ｂ、・・・の親機ＣＰＵ３０（３０、３０、・・・）にそれぞれ送出する。
【００３４】
居室親機２ａ、２ｂ、・・・において、集合住宅用インターホン制御装置３からの代理受取居室番号要求信号Ｓ4を検出した親機ＣＰＵ３０（３０、３０、・・・）は、当該代理受取居室番号要求信号に付加されている宛先居室番号データ「１０１」と自端末に予め割り当てられている居室番号データとを照合し、当該居室番号データが一致した場合にのみ、代理受取住戸設定部３３の操作により予め設定されていた代理受取先をなす他の住戸の居室番号データを確認する。ここでは、居室親機２ａの親機ＣＰＵ３０のみ当該居室番号データが「１０１」で一致し、この親機ＣＰＵ３０は、代理受取住戸設定部３３の操作により予め設定されていた代理受取先をなす住戸の居室番号、ここでは、１０２号室の居室番号「１０２」をなす代理受取居室番号データを付加させた代理受取居室番号信号Ｓ5を、上述の代理受取居室番号要求信号Ｓ4と逆の経路を介して集合住宅用インターホン制御装置３の制御装置ＣＰＵ４０に送出するとともに、この代理受取居室番号信号Ｓ5は、制御装置ＣＰＵ４０、ロッカー側Ｉ／Ｆ４２、伝送線路Ｌ1、宅配ロッカー１のロッカーＩ／Ｆ１６を介してロッカーＣＰＵ１０に伝送され、ロッカーＣＰＵ１０は、上述の電気錠２１が解錠されたボックス部１１ａの検出部２０からの使用状態データに、宅配者により操作された操作部１２からの宛先居室番号データ「１０１」と併せて当該代理受取居室番号信号に付加されている代理受取居室番号データ「１０２」を割り当てて記憶する。
【００３５】
集合住宅用インターホン制御装置３の制御装置ＣＰＵ４０は、居室親機２ａからの代理受取居室番号信号Ｓ5に付加されている代理受取居室番号データ「１０２」に基づき、１０１号室の住人宛ての緊急を要する荷物を１０２号室の住人に対して代理受け取りさせるため、上述の宛先居室番号データ「１０１」および代理受取居室番号データ「１０２」を付加させた代理着荷信号Ｓ6を送出し、この代理着荷信号Ｓ6は、上述の代理受取居室番号要求信号Ｓ4と同様な経路を介して居室親機２ａ、２ｂ、・・・の親機ＣＰＵ３０（３０、３０、・・・）にそれぞれ伝送される。
【００３６】
居室親機２ａ、２ｂ、・・・において、集合住宅用インターホン制御装置３からの代理着荷信号Ｓ6を検出した親機ＣＰＵ３０（３０、３０、・・・）は、当該代理着荷信号に付加されている宛先居室番号データ「１０１」および代理受取居室番号データ「１０２」と自端末に予め割り当てられている居室番号データとを照合する。ここでは、居室親機２ａ、２ｂの親機ＣＰＵ３０（３０、３０）のみ当該居室番号データが「１０１」、「１０２」でそれぞれ一致する。また、当該居室番号データが「１０１」で一致した居室親機２ａの親機ＣＰＵ３０は、着荷表示部３４の代理着荷表示ＬＥＤ３４ｂを点灯させるとともに、着荷表示ＬＥＤ３４ａの点灯を保持することにより、自己宛ての緊急を要する荷物の着荷の受け取りが１０２号室の住人に対して正常に促された旨の報知（以下、代理着荷報知と称す）を行なう。一方、当該居室番号データが「１０２」で一致した居室親機２ｂの親機ＣＰＵ３０は、着荷音発生部３２を制御して当該着荷音発生部からの着荷音信号Ｓ2に基づき、スピーカ３１から着荷音を鳴動させるとともに、着荷表示部３４の着荷表示ＬＥＤ３４ａを点滅、代理着荷表示ＬＥＤ３４ｂを点灯させることにより、他の住戸に居住する住人宛の緊急を要する荷物の着荷があり、速やかな受け取りを促す旨の報知（以下、代理受取要求報知と称す）を行なう。
【００３７】
次に、上述の代理着荷報知後に住戸内に帰宅した１０１号室の住人、または代理受取要求報知が行なわれた際、在室中であった１０２号室の住人のうち、最先に宅配ロッカー１まで赴き解錠部１５にて解錠操作を行なった住人、先ず、１０１号室から赴いた住人が、従来例と同様に解錠部１５を操作して解錠操作を行なうと、ロッカーＣＰＵ１０は、解錠操作を行なった住人が居住する１０１号室の居室番号データ「１０１」と宅配者により操作された操作部１２からの宛先居室番号データ「１０１」とが一致したボックス部１１ａの電気錠２１を解錠させることにより、１０１号室から赴いた住人は、自己宛ての緊急を要する荷物を取り出すことができる。また、ロッカーＣＰＵ１０は、電気錠２１が解錠されたボックス部１１ａの検出部２０からの未使用状態データに基づき、ボックス部１１ａの扉が開口され使用状態から未使用状態に移行されたことを検出し、上述の宛先居室番号データ「１０１」、居室親機２ａからの代理受取居室番号信号Ｓ5に付加されている代理受取居室番号データ「１０２」および宛先の住人により荷物が正常に取り出された旨の受取完了データを付加させた宅配受取完了信号Ｓ7を、上述の宅配受取完了信号Ｓ3と同様な経路を介して居室親機２ａ、２ｂ、・・・の親機ＣＰＵ３０（３０、３０、・・・）にそれぞれ送出する。
【００３８】
居室親機２ａ、２ｂ、・・・において、宅配ロッカー１からの宅配受取完了信号Ｓ7を検出した親機ＣＰＵ３０（３０、３０、・・・）は、当該宅配受取完了信号に付加されている宛先居室番号データおよび代理受取居室番号データと自端末に予め割り当てられている居室番号データとを照合する。ここでは、居室親機２ａ、２ｂの親機ＣＰＵ３０（３０、３０）のみ当該居室番号データが「１０１」、「１０２」でそれぞれ一致する。また、当該居室番号データが「１０１」で一致した居室親機２ａの親機ＣＰＵ３０は、着荷表示部３４の着荷表示ＬＥＤ３４ａ、代理着荷表示ＬＥＤ３４ｂをそれ消灯させることにより、上述の代理着荷報知は終了する。一方、当該居室番号データが「１０２」で一致した居室親機２ｂの親機ＣＰＵ３０は、着荷表示部３４の着荷表示ＬＥＤ３４ａ、代理着荷表示ＬＥＤ３４ｂをそれぞれ消灯させることにより、上述の代理受取要求報知は終了する。
【００３９】
一方、上述の代理着荷報知後に住戸内に帰宅した１０１号室の住人、または代理受取要求報知が行なわれた際、在室中であった１０２号室の住人のうち、１０２号室から赴いた住人が、従来例と同様に解錠部１５を操作して解錠操作を行なうと、ロッカーＣＰＵ１０では、解錠操作を行なった住人が居住する住戸の居室番号データ「１０２」と居室親機２ａからの代理受取居室番号信号Ｓ5に付加されている代理受取居室番号データ「１０２」とが一致し、この居室番号データに割り当てられていたボックス部１１ａの電気錠２１を解錠させることにより、１０２号室から赴いた住人は、他の住戸に居住する住人、すなわち、１０１号室に居住する住人宛ての緊急を要する荷物を取り出すことができる。また、ロッカーＣＰＵ１０は、電気錠２１が解錠されたボックス部１１ａの検出部２０からの未使用状態データに基づき、ボックス部１１ａの扉が開口され使用状態から未使用状態に移行されたことを検出し、上述の宛先居室番号データ「１０１」、代理受取居室番号データ「１０２」および代理受取先をなす１０２号室の住人により緊急を要する荷物が正常に取り出された旨の受取完了データを付加させた宅配代理受取完了信号Ｓ8を、上述の宅配受取完了信号Ｓ7と同様な経路を介して居室親機２ａ、２ｂ、・・・の親機ＣＰＵ３０（３０、３０、・・・）にそれぞれ送出する。
【００４０】
居室親機２ａ、２ｂ、・・・において、宅配ロッカー１からの宅配代理受取完了信号Ｓ8を検出した親機ＣＰＵ３０（３０、３０、・・・）は、当該宅配代理受取完了信号に付加されている宛先居室番号データおよび代理受取居室番号データと自端末に予め割り当てられている居室番号データとを照合する。ここでは、居室親機２ａ、２ｂの親機ＣＰＵ３０（３０、３０）のみ当該居室番号データが「１０１」、「１０２」でそれぞれ一致する。また、当該居室番号データが「１０１」で一致した居室親機２ａの親機ＣＰＵ３０は、着荷表示部３４の着荷表示ＬＥＤ３４ａ、代理着荷表示ＬＥＤ３４ｂをそれぞれ消灯させるとともに、着荷履歴表示ＬＥＤ３４ｃを点灯させて、代理受取先の１０２号室に居住する住人により自己宛ての緊急を要する荷物が正常に取り出された旨の報知（以下、宅配代理受取済報知と称す）を行なう。一方、当該居室番号データが「１０２」で一致した居室親機２ｂの親機ＣＰＵ３０は、着荷表示部３４の着荷表示ＬＥＤ３４ａ、代理着荷表示ＬＥＤ３４ｂをそれぞれ消灯させることにより、上述の代理受取要求報知は終了する。
【００４１】
また、１０１号室に在室中の住人は、代理受取先をなす１０２号室の住人から自己宛ての緊急を要する荷物を受け取った後、居室親機２ａの履歴消ボタン３５を操作すると、着荷表示部３４の着荷履歴消ボタン３５ｃを消灯させることができる。
【００４２】
なお、本発明の一実施例において、宅配ロッカー１に備えられる当該ボックス部は、２台のボックス部１１ａ、１１ｂとしたが、この数は２台に限定されず、単一の当該ボックス部、または３台以上のように、より複数の当該ボックス部を備えることもできる。また、宅配者が操作部１２を操作して入力する緊急宅配用番号は、緊急を要する荷物の宛先をなす１０１号室の居室番号「１０１」の先頭部に「１」を加えた「１１０１」のように４桁の番号としたが、この桁数は４桁に限定されず、任意の桁数で設定することができる。また、宅配ロッカー１からの緊急宅配信号を受信したときから制御装置ＣＰＵ４０の制御により計時を開始するタイマ４１の計時時間についても、上述のような１２時間に限定されず、任意の時間で適宜、変更することができる。
【００４３】
【発明の効果】
以上の説明から明らかなように、本発明の集合住宅用インターホンシステムによれば、宅配者により宅配ロッカーのボックス部に保管された緊急を要する荷物の宛先の住人が、長時間にわたり住戸内を不在としており速やかに当該荷物を取り出せない場合、宛先の住人により予め操作されていた居室親機の代理受取住戸設定部の設定に基づき、宛先以外の他の住戸内に設置された居室親機にて代理受け取りを促す旨の報知が行なわれ、これを確認した他の住戸内に居住する住人が、宅配ロッカーまで赴きボックス部から緊急を要する荷物を取り出して代理受け取りを行なうことにより、宛先の住人が帰宅するまで緊急を要する荷物がボックス部に保管されたままとなることを防止できるばかりでなく、ボックス部の長時間占有が防止され、当該ボックス部を有効的に利用できる。
【図面の簡単な説明】
【図１】本発明の一実施例による集合住宅用インターホンシステムの構成を示すブロック図である。
【図２】従来例の集合住宅用インターホンシステムの構成を示すブロック図である。
【符号の説明】
１・・・・・宅配ロッカー
２ａ、２ｂ、・・・ ・・・・・（複数の）居室親機
３・・・・・集合住宅用インターホン制御装置
１１ａ、１１ｂ・・・・・ボックス部
１２・・・・・操作部
３０・・・・・（居室親機の）ＣＰＵ
３３・・・・・代理受取住戸設定部
３４・・・・・着荷表示部
３４ａ・・・・・着荷表示ＬＥＤ
３４ｂ・・・・・代理着荷表示ＬＥＤ
３４ｃ・・・・・着荷履歴表示ＬＥＤ
３５・・・・・履歴消ボタン
４０・・・・・（集合住宅用インターホン制御装置の）ＣＰＵ
４１・・・・・タイマ
Ｓ1・・・・・緊急宅配信号
Ｓ6・・・・・代理着荷信号
【図１】
0003833098.tif 000002
【図２】
0003833098.tif 000003